(57)【要約】      （修正有）【課題】ガスコンロを使用している際のその熱エネルギーが余剰、及び空費となっている部分の熱を無駄にせず他の温めたい物の為に再利用する事の出来るガスコンロ用のやぐらを提供する。【解決手段】ガスコンロ用のやぐら１を構築する部材は総て金属製であり、その構成は、上部構造部材１−１及び下部構造部材１−２が、それぞれ上側及び下側に配置され、前記上部構造部材と前記下部構造部材とが柱部材１−３、１−４で連結されるとともに、前記上部構造部材１−１には、物を載せる構成部材１−６を備える。【選択図】図１
0003180241.tif 000002
【実用新案登録請求の範囲】
【請求項１】
ガスコンロから真上に昇る余剰の熱エネルギーを利用して温めたいと思っている品物の為にコンロの熱を直接に受ける事が出来る二階建て構造とした。
本体の上部構造１−１と本体上部の物を載せる構成部材１−６を伴い温めたいと思っている品物を載せるスペースとなるガスコンロ用のやぐら１とする。
【請求項２】
「やぐら」の間口部分の手前２本の支柱は本来垂直柱であるが間口の横巾寸法よりも大き目のヤカン、鍋、フライパン等の様な大なる品物の出し入れが容易となる様にする為には垂直柱の代わりに斜め支柱１−４を使用し前面間口をオープンになる構造とする。
【請求項３】
「ガスコンロ用のやぐら」の物を載せる部分の既存面積に対して更に広いスペースを必要とする際の方策として品物をより多く載せる事の出来る金網２を付属品とする。
この金網を敢えて付属品とする事は、網面積拡大の為に本体「やぐら」に合体とする工夫も存在するが「やぐら」を軽く、シンプルな構造とする為にその合体は行わない。それに代わる物として大き目サイズの既存の金網２、等の使用とする。
【請求項４】
コンロから「やぐら」に昇る火炎、余熱を逃がさずに集中させて熱密度の上昇を図る事を可能とした“部屋”とするヘッドフード３をセットする。
このヘッドフード３の上部には開口部を設けている。それは温めたいとする品物の出し入れ、点検等を容易とする為のものである。
【考案の詳細な説明】
【技術分野】
【０００１】  本考案はガスコンロを使用している際のその熱エネルギーが余剰、及び空費となっている部分の熱を無駄にせず他の温めたい物の為に再利用する事の出来る構造物を提供する。
【背景技術】
【０００２】  現在、家庭内キッチンに於いて極僅かな復旧率ではあるが節電をする為に電気ポット、電子レンジ等の使用負担を出来る限り抑える為の工夫として先にガスエネルギーの使用を優先としてからその後電気を使用する行為は節電の為には大変良い事と思う。【０００３】  反面、現状に於いてのガスコンロの使用状況を見る限り目的物の為だけの消費として終了させている事は非常に問題がある、その問題は何か。その際に消費しているガスエネルギーには相当の余剰エネルギーが生じているからである。【０００４】  それは、仮に水の入ったヤカンを完全に沸騰させる為にはコンロの熱源である炎は瞬時にしてヤカンの上方に空費状態となってしまう。時間にして十数分間はこの余剰のエネルギーが存在しているのである。しからば、その無駄なエネルギーを活用する事である。【０００５】  その余剰エネルギーの発生状況と言うのは、仮にヤカンを沸かす過程に於いて初めの段階ではヤカンが冷たい温度の為エネルギーを十分吸収するがその後は段階的に吸収率は落ちて行く、この事は後半に於いては特に余剰エネルギーの発生率が大きくなると言う事を理解しなければならない。【０００６】  現在、そのガス資源でさえ枯渇が懸念される状況の中で今後に於いても現在の様な使用状態で良いものではない。【０００７】  この様な無駄な消費を無くしてガスの熱エネルギーを有効に利用する手立てては特別な技術、研究を伴っての構想等を必要としなくても良い。極単純な発想に基づいたものに注意深く工夫を加える事に依り完璧な効果を出す事が出来るのである。【０００８】  その効果を出すと言う構想は、無駄な熱エネルギーとなっている熱元が存在しているならば、その熱元の真上にその熱の有効利用を可能とする構造物を置くだけの事である。【０００９】  その構造物と言うのは、コンロの真上のスペースが問題の余剰エネルギーを頂くには最適としたスペースである。そこに温めたい物を置けるとした構造物である。
【考案の概要】
【考案が解決しようとする課題】
【００１０】  現段階でのガスコンロの使用方法では省エネの観点から見てその方法は悉く改善する必要がある。無駄となって存在する余剰エネルギーを再利用する方法を採る事である。【００１１】  そのガス資源も枯渇が懸念される現在、その余剰と思われるエネルギー（火炎、余熱）を空費させずに第二の目的物の為にも第一の目的の物と同時に有効に利用出来ないものであろうか、此れを課題とする。
【課題を解決するための手段】
【００１２】  通常ガスコンロを使用して、水の入ったヤカン等を沸騰させるのには十数分に及ぶ時間を掛けて只その目的の為だけの消費で終わりとしている事、これは大変な浪費をしていると言う事を認識しなければならない。その間の余剰エネルギーを無駄にせずに有効に利用しようと言う事に着目しなければならない。【００１３】  節電、節ガスとは、それは何の為なのかと言う事を先ず家事を行う人達に教え込む必要がある。基本は、現在地球上に於ける温暖化の問題を認識して貰う事が重要である。【００１４】  そこで我々の身近に存在するエネルギーの無駄使いを無くしようと言う事となる。
その余剰エネルギーとする発生源の存在は何処に、それは仮にガスコンロの使用は一日に、朝、昼、晩と３度に亘っての使用である。温暖化を阻止する事を目的とした場合、最も優先されるべき行動対象とはガスコンロに於ける余剰エネルギーの有効使用となる。【００１５】  ヤカン等を熱する際の十数分間に於ける余剰エネルギーを利用する手立てとしては発生しているその熱源の真上に温めたいと思う品物を置くだけの事、単純な考えである。【００１６】  そこで、余剰エネルギーを有効に利用する事を可能とした器物ガスコンロ用のやぐらを提供する。コンロ、ヤカン等の周囲から立ち騰がる余剰の火炎、熱気、を無駄なく受ける事が出来る様にコンロの真上の位置に物を載せられるスペースを有する二階建て構造としたガスコンロ用のやぐらである。【００１７】  しかし熱と言う物の性質は時間の経過と共に即時に発散、消滅するものである。【００１８】  そこで一度頂いた熱を再度余剰エネルギーとさせない様にする為「やぐら」の物を温めるスペースを部屋状態とする事の出来るヘッドフード３を使用する。この事に依りヘッドフード内の熱密度が高まり品物をより一層の高熱化とする為の方策である。
【考案の効果】
【００１９】  本来は冷蔵庫内の冷蔵、冷凍された食品、等を加熱、解凍等を行う際は、迷うこと無く即座に電子レンジ等への投入と言う事が一般的であった。【００２０】  そこで  ガスコンロ用のやぐら  を使用する事に依り電気、及びガス等を従来に於いて利用していた時と比較して物を温める、熱を加える、等の行為に費やしていた時間、及び使用回数等が軽減されている事は省エネに繋がっている事を確信した。【００２１】  その他、この  ガスコンロ用のやぐらの利用効果を得られる物としては、従来は冷蔵庫内にて保存し冷たくなっていた食品等を利用する際は総ての物を再度の過熱、加温を行ってからの使用であった。【００２２】  その加温、過熱を行っていた事は電気、ガス、何れかのエネルギーを一次目的としての消費であったがその必要性は少なくなった。そして直にそのまま暖かく食べられる状態となる物もある。【００２３】  その他の加温出来る物として、これから使用するつもりのセトモノ、ガラス、鋳鉄類等である食器類（注、何れも不燃物である事とする）、朝の洗顔用の水、等はガスコンロ用のやぐらに依って十分に加温出来る対象物である。【００２４】  その他の効果としては微細な事であるが、従来のコンロ使用では余剰エネルギーが空費となり室内温度の上昇を招いていた事は冬季であれば許される範囲である。
一方、夏場に於いてはガスコンロ用のやぐらに依り加温対象物が余剰エネルギーを吸収してくれる効果に依り計算上であるが室内温度の上昇を抑えると言う事にもなる。【００２５】  今後、此のガスコンロ用のやぐらのシステムが勤勉なる国民性に依って日本中に浸透して日常的な使用となりもったいないの精神と共に世界中に及ぶ伝播となり地球上のＣＯ２削減に貢献することを期待したい。
【図面の簡単な説明】
【００２６】
【図１】  ガスコンロ用のやぐらの全体概要斜視図である。
【図２】  ガスコンロ用のやぐらに使用する付属品一覧を伴った斜視図である
【図３】  ガスコンロ用のやぐらの使用状況を示した立面斜視図である
【考案を実施する為の形態】
【００２７】  以下、本実用新案の実施形態を  図１〜図３に基づいて説明する。
【００２８】  図１〜図３に於いて、ガスコンロ用のやぐら１〜２〜３を構築している部材は総て非可燃性である金属製（３−３の取っ手の一部は非金属製）として、又１に於いては耐久性を重んじて金属のアングル部材としている。
【００２９】  １−３については、二階建て構造の柱である。
１−４については、「やぐら」を構築する際、「やぐら」手前間口については本来直立柱とするがその事により間口寸法よりも大き目のヤカン、鍋、フライパン等、大なる物の出し入れが難儀となる。
【００３０】  その大き目の物の出し入れを容易とする為に斜め柱１−４の採用（斜め柱の形態としては、直線、曲線の何れでも強度の問題が無ければ良い）として間口の無いオープン構造としている。
【００３１】  １−５については、斜め柱１−４の支柱としての役目を持つ物である。
【００３２】  １−６については、温めたい物を載せる為のスペースを作る素材である。
【００３３】  ２については、「やぐら」使用時に於いてより多くの温めたい物５を載せる為には本体面積よりも更に広いスペースを必要とする。その場合に使用する為の付属品としての金属製ネット２を追加使用とする。此の事は本体の重量、構造等を考慮して敢えて本体１と接続構造とはしないであくまでも本体１を軽く、シンプルな物とする為である。金属製ネット２は特別な物を必要とはしない。ある程度の広さを有していれば良いものとする。
【００３４】  下のコンロからの火炎、余熱は「やぐら」に昇り温めたいとする品物５に対してその熱は即座に伝わりますが、しかしその熱の動きの状態は瞬時に四方、八方に空費させてしまのは未だ完璧な有効利用とは言えない。あくまでも利用出来るもので有れば出来るだけ利用すると言う事でなければならない。
【００３５】  そこで一度頂いた熱を再度空費させる事のない様に「やぐら」の上部全体に熱を留めて置く為の方策を取る。
【００３６】  その為の方策として、ヘッドフード３（一部３−３は非金属製とする）を設ける、これは付属品として付帯する。その事に依り更に「やぐら」上部に於いては熱が圧縮された状態の高温である部屋が存在する事に成り余剰熱の完璧な再利用と言う事になる。
【００３７】  「やぐら」のサイズは、Ｍサイズを一般家庭使用のサイズとし、業務用にはＬ、又はＬＬサイズ等としてその必要性に応じた区分けとする。
【実施例】
【００３８】  実施例としては、図３に示すように水の入ったヤカンの湯沸かし時間中に於いての余剰エネルギーを再利用する為の方策となるので熱源の真上に温めたいとする品物５を置くスペースを伴ったガスコンロ用のやぐら１が水の入ったヤカンの周りを囲っています。そして真下から上がって来る熱源を出来るだけ逃さずにその熱を蓄える事により熱密度の上昇を図る為の“部屋“ヘッドフード３の利用状況を示すものです。
【符号の説明】
【００３９】  １        ガスコンロ用のやぐら
１−１    本体の上部構造部材
１−２    本体の下部構造部材
１−３    本体の柱と成る部材
１−４    本体の斜め柱と成る部材
１−５    本体の斜め柱と成る部材の支柱
１−６    本体上部の物を載せる構成部材
２        物品をより多く載せる際の金網
３        熱を蓄える為のヘッドフード
３−１    ヘッドフード内への出し入れ口
３−２    ヘッドフード内への出し入れ口の蓋
３−３    ヘッドフードの取っ手
５        温めたいとする品物
【図１】
0003180241.tif 000003
【図２】
0003180241.tif 000004
【図３】
0003180241.tif 000005
【手続補正書】
【提出日】平成24年9月14日(2012.9.14)
【手続補正１】
【補正対象書類名】実用新案登録請求の範囲
【補正対象項目名】全文
【補正方法】変更
【補正の内容】
【実用新案登録請求の範囲】
【請求項１】
ガスコンロ用のやぐら（１）を構築する部材は総て金属製であり、その構成は、上部構造部材（１−１）及び下部構造部材（１−２）が、それぞれ上側及び下側に配置され、前記上部構造部材と前記下部構造部材とが柱部材（１−３）（１−４）で連結されるとともに、前記上部構造部材（１−１）には、物を載せる構成部材（１−６）を備えたことを特徴とするガスコンロ用のやぐら。
【請求項２】
前記上部構造部材および前記下部構造部材の形状を四角形とし、前記柱部材として、前記下部構造部材の奥側角部と前記上部構造部材の奥側角部とを連結する２本の垂直柱（１−３）  と、前記下部構造部材の左右端における奥側と前記上部構造部材の左右端における前記奥側よりも手前側とを連結する２本の斜め柱（１−４）と、を備えることを特徴とする請求項１に記載のガスコンロ用のやぐら。